(57)【特許請求の範囲】
【請求項１】
円筒状のケーシング内に、ローラを有するロータを回転可能に設け、外径が略等しく内径が吐出側に向けて徐々に小さくなるようにテーパ状にしたポンピングチューブを、ケーシング内壁に沿って設け、前記ロータのセンターをケーシングのセンターから偏心させ、前記ローラによるポンピングチューブの押圧作用とポンピングチューブ自体の復元作用とによりポンプ作用を与えてポンピングチューブ内に生コンクリートを吸い込むとともに、吸い込んだ生コンクリートを圧送する絞り出し式コンクリートポンプにおいて、
前記ケーシングにロータを支持する一対の支持部材を取り付け、
この一対の支持部材のうちの少なくとも一方の支持部材を、ケーシングのセンターに一致させて当該ケーシングに取り付け、
当該少なくとも一方の支持部材に、前記ケーシングのセンターより偏心した位置に穴を形成するとともに、この穴のセンターに前記ロータのセンターを一致させた状態で前記ロータを取り付けていることを特徴とする絞り出し式コンクリートポンプ。
【請求項２】
円筒状のケーシング内に、ローラを有するロータを回転可能に設け、外径が略等しく内径が吐出側に向けて徐々に小さくなるようにテーパ状にしたポンピングチューブを、ケーシング内壁に沿って設け、前記ロータのセンターをケーシングのセンターから偏心させ、前記ローラによるポンピングチューブの押圧作用とポンピングチューブ自体の復元作用とによりポンプ作用を与えてポンピングチューブ内に生コンクリートを吸い込むとともに、吸い込んだ生コンクリートを圧送する絞り出し式コンクリートポンプにおいて、
前記ケーシングにロータを支持する一対の支持部材を取り付け、
この一対の支持部材のうちの少なくとも一方が、主支持部材と、補助支持部材とを備え、
前記主支持部材は、ケーシングのセンターに一致させて当該ケーシングに取り付けられるとともに、前記ケーシングのセンターより偏心した位置に穴が形成され、
前記補助支持部材は、前記主支持部材の前記穴のセンター及び前記ロータのセンターに一致させて主支持部材に取り付けられることによりロータをケーシングのセンターに対して偏心させて支持していることを特徴とする絞り出し式コンクリートポンプ。
【発明の詳細な説明】
【０００１】
【発明の属する技術分野】
本発明は、外径が略等しく内径が吐出側に向かって徐々に小さくなるテーパ状のポンピングチューブを使用した絞り出し式コンクリートポンプに関し、特にケーシング内にて回転するロータの支持に関するものである。
【０００２】
【従来の技術】
一般に絞り出し式コンクリートポンプは、円筒状のケーシング内に弾性を有するポンピングチューブを横Ｕ字状に装着し、ロータに支持されたローラをポンピングチューブに沿って押圧しながら転動させることにより、ローラによる押圧作用とポンピングチューブ自体の復元作用とによって、ポンピングチューブにポンプ作用を与えて、ポンピングチューブ内に吸い込まれた生コンクリートを圧送するようになっている。
【０００３】
ところが、ポンピングチューブの吐出側にてローラがポンピングチューブの押圧を解除し始め、ポンピングチューブ内が開き始めると、ローラの前後の差圧（ローラの後方に対して前方の方が高所打設や長距離打設のため高圧になっている）により、生コンクリートが逆流する。このため、ローラがポンピングチューブの押圧を解除する位置において、ポンピングチューブの内面が特に激しく摩耗し、ポンピングチューブの寿命を短くする原因になっていた。
【０００４】
そこで、前記生コンクリートの逆流を少しでも少なくしてポンピングチューブの寿命を長くするために、特開昭５９―３１８９号公報に開示されているように、ポンピングチューブを吸い込み側の開口面積に対して吐出側の開口面積が小さくなるように略全長に亘ってテーパ状にすることが考えられている。このテーパ状のポンピングチューブによれば、上下のローラにて一時的に閉じこめられたポンピングチューブ内の密閉室が、ローラのわずかな移動によりポンピングチューブ内の前後の面積差にて徐々に加圧されるので、ポンピングチューブの押圧が解除されても生コンクリートの逆流を少なくすることができる。
【０００５】
【発明が解決しようとする課題】
ところが、前記構造ではローラによるポンピングチューブの押圧開始位置と押圧解除位置との肉厚が著しく異なることから、ケーシングのセンターに対してロータのセンターが偏心することになる。このため、大きな部品であるケーシングに対して、ケーシングのセンターから幾分偏心した位置に、ロータの支持部材を取り付けるための穴加工をしなければならなず、この穴加工位置の位置合わせが非常に煩雑になるとともに、特殊な治具も必要となり、その治具もケーシングに合わせた大きなものが必要となるなど種々の問題があった。
そこで本発明は、ケーシングの加工の困難性を解消できるととともに、特殊な治具を不要にすることができる絞り出し式コンクリートポンプを提供することを目的とする。
【０００６】
【課題を解決するための手段】
前記目的を達成するための本発明の絞り出し式コンクリートポンプは、円筒状のケーシング内に、ローラを有するロータを回転可能に設け、外径が略等しく内径が吐出側に向けて徐々に小さくなるようにテーパ状にしたポンピングチューブを、ケーシング内壁に沿って設け、前記ロータのセンターをケーシングのセンターから偏心させ、前記ローラによるポンピングチューブの押圧作用とポンピングチューブ自体の復元作用とによりポンプ作用を与えてポンピングチューブ内に生コンクリートを吸い込むとともに、吸い込んだ生コンクリートを圧送する絞り出し式コンクリートポンプにおいて、前記ケーシングにロータを支持する一対の支持部材を取り付け、この一対の支持部材のうちの少なくとも一方の支持部材を、ケーシングのセンターに一致させて当該ケーシングに取り付け、当該少なくとも一方の支持部材に、前記ケーシングのセンターより偏心した位置に穴を形成するとともに、この穴のセンターに前記ロータのセンターを一致させた状態で前記ロータを取り付けていることを特徴とする（請求項１）。
前記の構成の絞り出し式コンクリートポンプによれば、少なくとも一方の支持部材をケーシングのセンターに一致させて当該ケーシングに取り付けているので、支持部材を取り付けるために必要なケーシング自体への加工を、当該ケーシングのセンターを基準として行うことができる。
【０００７】
また、この発明の絞り出し式コンクリートポンプは、円筒状のケーシング内に、ローラを有するロータを回転可能に設け、外径が略等しく内径が吐出側に向けて徐々に小さくなるようにテーパ状にしたポンピングチューブを、ケーシング内壁に沿って設け、前記ロータのセンターをケーシングのセンターから偏心させ、前記ローラによるポンピングチューブの押圧作用とポンピングチューブ自体の復元作用とによりポンプ作用を与えてポンピングチューブ内に生コンクリートを吸い込むとともに、吸い込んだ生コンクリートを圧送する絞り出し式コンクリートポンプにおいて、前記ケーシングにロータを支持する一対の支持部材を取り付け、この一対の支持部材のうちの少なくとも一方が、主支持部材と、補助支持部材とを備え、前記主支持部材は、ケーシングのセンターに一致させて当該ケーシングに取り付けられるとともに、前記ケーシングのセンターより偏心した位置に穴が形成され、前記補助支持部材は、前記主支持部材の前記穴のセンター及び前記ロータのセンターに一致させて主支持部材に取り付けられることによりロータをケーシングのセンターに対して偏心させて支持していることを特徴とする（請求項２）。
前記の構成の絞り出し式コンクリートポンプによれば、主支持部材をケーシングのセンターに一致させて当該ケーシングに取り付け、この主支持部材に補助支持部材を前記ロータのセンターに一致させて取り付けることにより、ロータをケーシングのセンターに対して偏心させて支持することができる。このため、支持部材を取り付けるために必要なケーシング自体への加工は、当該ケーシングのセンターを基準として行うことができる。
【０００８】
【発明の実施の形態】
以下、本発明の実施の形態を図面に基づいて説明する。
図1は本発明の絞り出し式コンクリートポンプを示す全体図であり、図３は図１のＡ−Ｏ−Ａ線断面図である。
生コンクリートを圧送する絞り出し式コンクリートポンプ１は、円筒状のケーシング２に、弾性を有するポンピングチューブ３を図２のように横Ｕ字状に挿入し、ポンピングチューブ３の両端をケーシング２の上下の開口部４から突出させてある。前記ケーシング２は鍋状のメインケーシング５に蓋状のサブケーシング６を重ねて、周囲をボルト７にて結合したものである。
【０００９】
前記ポンピングチューブ３は、図２に示すように、外径Ｄが全長にわたって略同一で、内径が吸い込み側から吐出側に向かって徐々に小さいテーパ状になっている。すなわち、吸い込み側の内径Ｄ１の開口面積に対して吐出側の内径Ｄ２の開口面積が小さくなっている。
【００１０】
前記ケーシング２内の中央には、左右一対のロータ板８を円筒体９にて一体化させたロータ１０が設けられ、一方側のロータ板８には、油圧モータ１１と一体の減速機１２の一部が当該ロータ板８のセンターＸと同心にボルト止めされ、他方側のロータ板８には、回転軸１３が当該ロータ板８のセンターＸと同心に固定されている。また、前記油圧モータ１１の一部は、サブケーシング６に取り付けた環状の右支持部材１５にて支持され、前記回転軸１３はメインケーシング５に固定された短筒状の左支持部材１６にて軸受Ｊを介して回転可能に支持されている。
【００１１】
前記ロータ１０の端部には２個のローラ１７が位相を１８０度ずらして軸支されている。前記ローラ１７はロータ１０が時計回り方向（図２矢印Ｚ方向）に回転すると、ローラ１７が図１において時計の６時の位置からポンピングチューブ３の押圧を開始し、そのままポンピングチューブ３に沿って転動し、時計の１２時の位置で押圧を解除して、ポンピングチューブ３から離れていく。これにより、ポンピングチューブ３の下方端からポンピングチューブ３自体の復元力により吸い込まれた生コンクリートが、ポンピングチューブ３の上方端から圧送される。なお、前記１２時の位置では、ポンピングチューブ３の肉厚が幾分圧縮された状態になっているので、ローラ１７が１２時の位置より少し前方に移動してからポンピングチューブ３内の密閉室１８が開き始めるようになっている。
【００１２】
前記ポンピングチューブ３は、その肉厚が吐出側に向かって厚くなっていることから、ケーシング２のセンターＹに対してロータ１０のセンターＸが下方に△Ｈだけ偏心することになる（図１、図３参照）。このため、左支持部材１６はロータ１０のセンターＸと同心になるようにメインケーシング５に溶接又はボルト止めされている。
【００１３】
前記サブケーシング６の中央部には、そのセンターＹと同心に貫通孔６ａが形成されており、この貫通孔６ａには内外周が同心のリングＲが嵌合され、このリングＲの外周は、サブケーシング６に溶接されている。
前記右支持部材１５は、リングＲの内周で構成されるサブケーシング６のセンターＹと同心の取付穴２１に嵌合させた状態で、当該リングＲにボルト１４にて取り付けられている。これにより前記支持部材１５は、サブケーシング６のセンターＹと同心に設けられることになる。
また、前記右支持部材１５には、サブケーシング６のセンターＹより△Ｈだけ下方に偏心させた位置に穴２２が形成され、この穴２２のセンターつまりロータ１０のセンターＸに一致させた状態で、油圧モータ１１のフランジ部１１ａがボルト２４にて右支持部材１５に固定されている。
【００１４】
ロータ１０には左右一対のガイドローラ２５が取り付けられており、このガイドローラ２５によってポンピングチューブ３が蛇行するのを規制するようになっている。また、ロータ１０には規制部材２６が軸支されており、この規制部材２６によってポンピングチューブ３がローラ１７の押圧転動によりケーシング２から離れようとするのを規制するようになっている。
【００１５】
前記ケーシング２の内壁とポンピングチューブ３との間には、弾性を有するパッド２７を設けてあり、前記パッド２７の左右が止め部材（図示せず）にてケーシング２に固定されている。前記パッド２７は、ポンピングチューブ３がローラ１７にて押圧されることにより幾分前後移動する際に、ケーシング２との摩擦抵抗を小さくするとともに、ポンピングチューブ３内にて生コンクリートに含まれる小石を挟んだ際のポンピングチューブ３の変形を吸収する役目を果たす。
【００１６】
次に前記の構成のコンクリートポンプ１の作用について説明する。まず、図２の状態から油圧モータ１１にてロータ１０を矢印Ｚ方向に回転させると、下方のローラ１７はポンピングチューブ３を押圧しながら上方に転動し、上方のローラ１７はポンピングチューブ３から離れて下方に移動する。これにより、下方のローラ１７より後方のポンピングチューブ３が、それ自体の弾性復元力にて元の円形に戻ることにより生コンクリートを吸い込み、下方のローラ１７より前方のポンピングチューブ３内の生コンクリートは前方に圧送される。その際、ポンピングチューブ３の内径がテーパ状になっているので、ローラ１７が図２の位置から少し矢印方向に回転すると、一対のローラ１７間の密閉室１８が幾分加圧された状態となる。その状態でローラ１７の押圧解除にてポンピングチューブ３内が開くと、密閉室１８の圧力と前方の圧力との差が小さいことから、生コンクリートの逆流を少なくしてポンピングチューブ３内面の磨耗を少なくすることができる。
【００１７】
また、コンクリートポンプ１を製作する際に、ロータ１０のセンターＸをケーシング２のセンターＹから△Ｈだけ下方に偏心させて取り付けるには、まず、メインケーシング５からサブケーシング６を取り外した状態で、ロータ１０をメインケーシング５内に挿入するとともに、回転軸１３を左支持部材１６に装着する。次に、サブケーシング６をメインケーシング５にボルト７にて固定し、油圧モータ１１のフランジ部１１ａを右支持部材１５にボルト２４にて固定する。これにより、ロータ１０のセンターＸは、ケーシング２のセンターＹより△Ｈだけ下方の位置に配置されることになる。したがって、サブケーシング６にリングＲを取り付けるための貫通孔６ａは、ケーシング２のセンターＹを中心として（基準として）加工すればよく、その加工作業が非常に容易となる。
【００１８】
図４は、他の実施の形態を示す断面図であり、図５はその右支持部材の組付図である。この実施の形態においては、右支持部材１５を主支持部材１９と補助支持部材２０とで構成し、主支持部材１９は、サブケーシング６のセンターＹと同心に設けられた取付穴２１に嵌合させた状態で、当該サブケーシング６にボルト１４にて取り付けられている。これにより、前記主支持部材１９は、サブケーシング６のセンターＹと同心に設けられる。
また、前記主支持部材１９には、サブケーシング６のセンターＹより△Ｈだけ下方に偏心させた位置に穴２２が形成され、この穴２２のセンターつまりロータ１０のセンターＸに一致させた状態で、内外周が同心の環状の補助支持部材２０が主支持部材１９にボルト２３にて固定されており、この補助支持部材２０に油圧モータ１１のフランジ部１１ａがボルト２４にて固定されている。
【００１９】
この実施の形態によれば、右支持部材１５の補助支持部材２０を、油圧モータ１１と主支持部材１９とにボルト２３、２４にて固定した後、主支持部材１９をサブケーシング６にボルト１４にて固定することにより、ロータ１０のセンターＸを、ケーシング２のセンターＹより△Ｈだけ下方の位置に配置することができる。したがって、サブケーシング６へ右支持部材１５を取り付けるための取付穴２１は、ケーシング２のセンターＹを中心として（基準として）加工するればよく、その加工作業が非常に容易となる。
【００２０】
なお、前記実施の形態では、偏心した穴２２を有する支持部材をサブケーシング６側のみに構成しているが、メインケーシング５側にも同様な構造の支持部材を採用することが可能であり、また、メインケーシング５側のみに同様な構造の支持部材を採用してもよい。
【００２１】
【発明の効果】
以上のように、本発明の絞り出し式コンクリートポンプによれば、支持部材を取り付けるために必要なケーシング自体への加工は、当該ケーシングのセンターを基準として行うことができるので、当該加工が非常に容易となるとともに、従来のような特殊な治具が不要となり安価に製作することができる。
【図面の簡単な説明】
【図１】本発明の絞り出し式コンクリートポンプの全体図である。
【図２】絞り出し式コンクリートポンプの全体断面図である。
【図３】図１のＡ−Ｏ−Ａ線断面図である。
【図４】他の実施の形態を示す断面図である。
【図５】前図に示す実施の形態の右支持部材の組付図である。
【符号の説明】
１  絞り出し式コンクリートポンプ
２  ケーシング
３  ポンピングチューブ
５  メインケーシング
６  サブケーシング
１０  ロータ
１５  右支持部材
１６  左支持部材
１７  ローラ
１９  主支持部材
２０  補助支持部材
Ｘ  ロータのセンター
Ｙ  ケーシングのセンター
【図１】
0003960715.tif 000002
【図２】
0003960715.tif 000003
【図３】
0003960715.tif 000004
【図４】
0003960715.tif 000005
【図５】
0003960715.tif 000006